(57)【特許請求の範囲】
【請求項１】
蓋付きの点検用開口が中央部に設けられ、底に排水孔を有する排水口が周縁部に設けられた平面視略四角形をした下床材と、前記点検用開口を上面から覆うように前記下床材上に設置され、洗い場床面を構成する上床材とを備える洗い場パンであって、
前記下床材は、
周縁に形成された、配管を床下から立ち上げ可能な幅の帯状部と、
該帯状部から段状に沈み込むように形成されて、前記上床材を受ける部分となる敷設部と、
該敷設部の周縁部に沿って形成された凹溝と
を備え、
前記上床材は、前記凹溝に圧入されて止水する止水部材を備えることを特徴とする洗い場パン。
【請求項２】
前記上床材が、前記排水口の一部を上方から覆う大きさに形成されている請求項１記載の洗い場パン。
【請求項３】
前記排水口が、前記下床材の一側縁に沿って横長に形成されている請求項１または２記載の洗い場パン。
【請求項４】
前記上床材の端縁が、前記帯状部の前記敷設部側の端縁と略面一に設置される請求項１から請求項３のいずれか一項に記載の洗い場パン。
【発明の詳細な説明】
【技術分野】
【０００１】
本発明は、浴室ユニットの洗い場パンに関するものである。
【背景技術】
【０００２】
従来、洗い場パン下方での施工作業性を向上させるため、排水口と蓋付きの作業用開口部とが設けられた下床材と、排水口を臨む部分に切欠きを有し、下床材の排水口を除く略全面を覆う形状の上床材との二重構造にして、下床材の作業用開口部から施工作業を行った後、下床材の上に上床材を接着固定して仕上げるようにしたものが提案されている（例えば、特許文献１参照）。
【０００３】
しかしながら、上記の洗い場パンは、上床材が、下床材の排水口を除く略全面を覆う形状であるため、床下から配管を立ち上げた場合であっても、配管を浴槽側から横引きした場合であっても、配管や、配管を隠蔽するための配管カバーまたは洗い場カウンター等が邪魔になって、上床材を下床材から取り外すことができない。
そのため、上床材を下床材に着脱するには、配管を解体する必要があり、施工後の床下の維持管理やメンテナンスには対応しにくいという問題がある。
【特許文献１】特開２００３−２０７０８号公報
【発明の開示】
【発明が解決しようとする課題】
【０００４】
本発明は、上記問題点に鑑みてなされたものであって、施工後の維持管理やメンテナンスのしやすい床下作業性に優れた洗い場パンを提供することにある。
【課題を解決するための手段】
【０００５】
上記課題を解決するために、本願の発明は、蓋付きの点検用開口が中央部に設けられ、底に排水孔を有する排水口が周縁部に設けられた平面視略四角形をした下床材と、前記点検用開口を上面から覆うように前記下床材上に設置され、洗い場床面を構成する上床材とを備える洗い場パンであって、前記下床材は、周縁に形成された、配管を床下から立ち上げ可能な幅の帯状部と、該帯状部から段状に沈み込むように形成されて、前記上床材を受ける部分となる敷設部と、該敷設部の周縁部に沿って形成された凹溝とを備え、前記上床材は、前記凹溝に圧入されて止水する止水部材を備えることを特徴とする。
【０００６】
また、本願の発明は、前記上床材が、前記排水口の一部を上方から覆う大きさに形成されていることを特徴とする。
【０００７】
また、本願の発明は、前記排水口が、前記下床材の一側縁に沿って横長に形成されていることを特徴とする。
【０００８】
また、本願の発明は、前記上床材の端縁が、前記帯状部の前記敷設部側の端縁と略面一に設置されることを特徴とする。
【発明の効果】
【０００９】
本願の発明は、蓋付きの点検用開口が中央部に設けられ、底に排水孔を有する排水口が周縁部に設けられた平面視略四角形をした下床材と、点検用開口を上面から覆うように下床材上に設置され、洗い場床面を構成する上床材とを備える洗い場パンであって、下床材は、周縁に形成された、配管を床下から立ち上げ可能な幅の帯状部と、帯状部から段状に沈み込むように形成されて、上床材を受ける部分となる敷設部と、敷設部の周縁部に沿って形成された凹溝とを備え、上床材は、凹溝に圧入されて止水する止水部材を備えているので、配管を帯状部の任意の場所に床下から立ち上げることができ、しかも、配管を立ち上げた状態で、上床材を着脱できる。したがって、下床材に設けた点検用開口から床下作業を行うことができ、施工後の維持管理やメンテナンスがしやすい。
【００１０】
また、本願の発明は、上床材が、排水口の一部を上方から覆う大きさに形成されているので、排水口の開口面積を確保しつつ、排水口を目立たちにくくすることができる。
【００１１】
また、本願の発明は、排水口が、下床材の一側縁に沿って横長に形成されているので、より一層、排水口を目立ちにくくすることができる。
【００１２】
また、本願の発明は、上床材の端縁が、帯状部の端縁と略面一に設置されるので、帯状部と上床材との連接部分に水や汚れが残りにくい上、上床材と下床材との一体感のある外観が得られる。
【発明を実施するための最良の形態】
【００１３】
以下、本発明にかかる洗い場パンの一実施形態について、図面に基づいて詳細に説明する。
図１に示すように、本実施形態の洗い場パン１は、平面視略四角形状の下床材２と、上床材３とを備えている。
下床材２は、排水口４と、上床材３が敷設される上床材敷設部５と、上床材敷設部５から排水口４が設けられた縁に沿って段状に立ち上がる排水用段部６と、排水口４が設けられた縁以外の三方の縁に沿って段状に立ち上がる配管用段部７と、排水用段部６から立ち上がるエプロン受け部８と、配管用段部７から立ち上がる壁受け部９とから構成されている。
【００１４】
排水口４は、下床材２の一側縁に沿って横長に形成されており、底部４１と、底部４１の略中央部に設けられた排水孔４２とを備えている。
底部４１の排水孔４２を臨む端部には、図２、図３に示すように、パッキン１０が装着され、洗い場側からフランジ１１が取り付けられている。そして、排水トラップ１２が、床下から排水孔４２を臨むように配置され、フランジ１１の上面側からビス止めされて、フランジ１１に一体に固定されている。
また、排水口４には、図４に示すように、洗い場側から排水用段部６の幅寸法と同一幅の排水ガイド１３と排水口蓋１４ａとが取り付けられている。
【００１５】
上床材敷設部５は、排水口４に向かって下り勾配となっている。上床材敷設部５の中央部には、蓋付きの一対の点検用開口部１５が設けられている。また、上床材敷設部５の周縁には、凹溝１６が形成されている。凹溝１６の幅方向中央部には、図５に示すように、後述する上床材３の止水部材１９に嵌合する凸部１７が形成されている。
【００１６】
配管用段部７は、配管を床下から立ち上げ可能な幅の帯状部１８を有している。帯状部１８は、上床材敷設部５に向かって下り勾配となっており、帯状部１８の上床材敷設部５側の端縁は、上床材３の端縁と略面一となる高さとなっている。
排水用段部６は、排水口４の両側に配置され、排水口４に向かって下り勾配となっている。
【００１７】
上床材３は、平面視略四角形状で、下床材２の上床材敷設部５および排水口４の一部を覆う大きさに形成されている。また、下床材２の上床材敷設部５と同様に、排水口４側に向かって下り勾配となっている。
上床材３の周縁には、上床材３と下床材２の上床材敷設部５との隙間を止水するための止水部材１９が接着固定されている。止水部材１９は、弾性材料からなり、図５に示すように、凹溝１６内の凸部１７に嵌合する嵌合部２０と、嵌合部２０の周壁から突出する多数のヒレ状突起部２１とを有している。
【００１８】
そして、上床材３を下床材２上に固定するには、まず、上床材３を床材敷設部５の上に配置する。このとき、図２，図３に示すように、上床材３の排水口４を臨む端部の変形を防ぐため、上床材３の排水口４を臨む端部とフランジ１１の上面との間に、ブロック状のスペーサ２２を介装させておく。
次に、上床材３の止水部材１９の嵌合部２０を下床材２の上床材敷設部５の凹溝１６に圧入し、嵌合部２０を凹溝１６内の凸部１７に嵌合させる。このとき、突起部２１が、凹溝１６の内壁面に弾性圧接して、凹溝１６と嵌合部２０とが隙間のない状態となる。
【００１９】
以上詳述したように、本実施形態の洗い場パン１によれば、下床材２に、配管を床下から立ち上げ可能な幅の帯状部１８を有する配管用段部７が設けられているので、配管を床下から立ち上げることができ、しかも、上床材３を下床材２に対して着脱できる。
したがって、施工後も、下床材２の点検用開口部１５から床下作業を行うことができ、維持管理やメンテナンスがしやすい。
また、配管用段部７の帯状部１８の任意の場所に配管を立ち上げることができるので、洗面カウンターや水栓の取り付け位置の設計自由度が向上する。
【００２０】
また、排水口４が、下床材２の一側縁に沿って横長に形成されていて、さらに、上床材３が、排水口４の一部を上方から覆う大きさに形成されているので、排水性能を維持しつつ、排水口蓋１４ａの幅と下床材２の排水用段部６の幅とを同一にすることができ、すっきりと収まりのよい外観を得ることができる。
【００２１】
また、従来のように、上床材の排水口を臨む端縁に切り欠き部を設ける必要がなく、上床材３を単純な平面視略四角形状に形成できるため、上床材の成形方法、材質、加飾方法の選択自由度を向上できる。したがって、下床材は共通とし、上床材を取り替えることにより、多様なデザインの洗い場パンを容易に提供できる。
【００２２】
また、上床材３と下床材２とは、上床材３に設けた止水部材１９の嵌合部２０を下床材２の凹溝１６内の凸部１７に弾性嵌着させる第１の止水部と、止水部材１９の突起部２１を凹溝１６の内壁面に弾性圧接させる第２の止水部とを備えており、二段階で止水されるため、上床材３と下床材２とを水密に固定することができる。したがって、上床材３と下床材２との接合部分から下床材２に水漏れが起こるのを確実に防ぐことができ、衛生的である。
【００２３】
ところで、本実施形態の洗い場パン１は、下床材２に点検用開口部１５が設けられているので、洗い場パン１を用いた浴室ユニットとしては、図６に示すように、洗い場パン１と、フランジ付き浴槽Ｂ１と、エプロンＥとを備えた構成だけでなく、図７に示すように、洗い場パン１に隣接して配置される浴槽フロアＦに直接浴槽Ｂ２を設置した構成とすることができ、浴槽の形状やレイアウトに自由な展開が可能となる。
なお、図６に示す浴室ユニットは、浴槽パン（図示せず）を備えた構成であっても構わない。
【００２４】
なお、本発明は、上記実施形態に限られず、図８に示すように、下床材２のエプロン受け部８の受け幅を狭くして、排水トラップ１２を浴槽側に寄せてもよい。この場合は、エプロン受け部８の受け面積が減少するため、排水口蓋１４ｂのエプロンＥ側の端部に立ち上がり部を設けて、エプロンＥの一部を支持させればよい。
このようにすれば、排水口蓋１４ｂの幅と下床材２の排水用段部６の幅とが同一となった収まりのよい外観を得ることができる上、排水トラップ内清掃時の視野を確保できる。
【００２５】
また、上床材３、上床材敷設部５、排水用段部６、配管用段部７の帯状部１８は、いずれも排水口４に向かって下り勾配となっていればよい。したがって、上床材３、上床材敷設部５は、例えば、図９（ａ）に示すように、三方向傾斜面となっていてもよいし、図９（ｂ）に示すように、排水口４に向かって一方向傾斜面となっていてもよい。
【００２６】
さらに、上床材３と下床材２との固定構造および止水構造は、上記実施形態に限定されるものではなく、上床材３を下床材２に水密に固定することができ、かつ、下床材２に対して着脱可能な構造であればよい。
【図面の簡単な説明】
【００２７】
【図１】本発明にかかる一実施形態の洗い場パンを示す斜視図である。
【図２】排水口付近の構造を示す断面斜視図である。
【図３】排水口付近の構造を示す断面図である。
【図４】排水ガイドと排水口蓋の取り付け手順を示す説明図である。
【図５】上床材と下床材との止水構造を示す説明図である。
【図６】本発明にかかる洗い場パンを用いた浴室ユニットの一例である。
【図７】本発明にかかる洗い場パンを用いた浴室ユニットの他の例である。
【図８】排水口付近の構造の他の実施形態を示す断面図である。
【図９】（ａ）本発明にかかる洗い場パンの傾斜方向の一例を示す模式図である。（ｂ）本発明にかかる洗い場パンの傾斜方向の他の例を示す模式図である。
【符号の説明】
【００２８】
１    洗い場パン
２    下床材
３    上床材
４    排水口
５    上床材敷設部（上床材を受ける部分）
７    配管用段部（段部）
１５  点検用開口部（点検用開口）
１８  帯状部
【図１】
0005382641.tif 000002
【図２】
0005382641.tif 000003
【図３】
0005382641.tif 000004
【図４】
0005382641.tif 000005
【図５】
0005382641.tif 000006
【図６】
0005382641.tif 000007
【図７】
0005382641.tif 000008
【図８】
0005382641.tif 000009
【図９】
0005382641.tif 000010